(57)【要約】【課題】小さいサイズの表示手段を用いてコストを大幅に引き上げることなく、一般の消費者にわかりやすく多様なメッセージを伝えることができるようにする。【解決手段】内部状態判定手段１１は、ガスメータ１０の内部状態の判定を行う。検索手段１６は、その判定結果に従って、ガスメータ１０の内部状態に対応する内部状態情報を記憶手段１５から検索する。メッセージ作成手段１２は、検索手段１６が記憶手段１５から検索した内部状態情報に従って、ガスメータ１０の内部状態に対応したメッセージを作成する。作成されたメッセージは、２次元コード作成手段により２次元コードに変換され、表示手段１４に表示される。ユーザは、２次元コード読取装置を使用して、ガスメータ１０の表示手段１４に表示された２次元コード１７を読み取って、そのメッセージを表示させることができる。【選択図】図１
2009109391.tif 000002
【特許請求の範囲】
【請求項１】
２次元コードを作成する２次元コード作成手段と、該２次元コード作成手段が作成した２次元コードを表示する表示手段とを有するメータであって、前記２次元コード作成手段は、前記メータの内部状態に応じたメッセージを表す２次元コードを作成することを特徴とするメータ。
【請求項２】
２次元コードを作成する２次元コード作成手段と、該２次元コード作成手段が作成した２次元コードを表示する表示手段とを有し、周辺装置に接続されるメータであって、前記２次元コード作成手段は、前記周辺装置の内部状態に応じたメッセージを表す２次元コードを作成することを特徴とするメータ。
【請求項３】
２次元コードを作成する２次元コード作成手段と、該２次元コード作成手段が作成した２次元コードを表示する表示手段とを有し、周辺装置を介してホスト装置に接続されるメータであって、前記２次元コード作成手段は、前記ホスト装置の内部状態に応じたメッセージを表す２次元コードを作成することを特徴とするメータ。
【請求項４】
２次元コードを作成する２次元コード作成手段と、該２次元コード作成手段が作成した２次元コードを表示する表示手段とを有し、メータに接続される周辺装置であって、前記２次元コード作成手段は、前記周辺装置の内部状態に応じたメッセージを表す２次元コードを作成することを特徴とする周辺装置。
【請求項５】
２次元コードを作成する２次元コード作成手段と、該２次元コード作成手段が作成した２次元コードを表示する表示手段とを有し、メータに接続される周辺装置であって、前記２次元コード作成手段は、前記メータの内部状態に応じたメッセージを表す２次元コードを作成することを特徴とする周辺装置。
【請求項６】
２次元コードを作成する２次元コード作成手段と、該２次元コード作成手段が作成した２次元コードを表示する表示手段とを有し、メータを介して他の周辺装置に接続される周辺装置であって、前記２次元コード作成手段は、前記他の周辺装置の内部状態に応じたメッセージを表す２次元コードを作成することを特徴とする周辺装置。
【請求項７】
２次元コードを作成する２次元コード作成手段と、該２次元コード作成手段が作成した２次元コードを表示する表示手段とを有し、他の周辺装置に接続される周辺装置であって、前記２次元コード作成手段は、前記他の周辺装置の内部状態に応じたメッセージを表す２次元コードを作成することを特徴とする周辺装置。
【請求項８】
２次元コードを作成する２次元コード作成手段と、該２次元コード作成手段が作成した２次元コードを表示する表示手段とを有し、メータに接続されるとともにネットワークを介してホスト装置に接続される周辺装置であって、前記２次元コード作成手段は、前記ホスト装置の内部状態に応じたメッセージを表す２次元コードを作成することを特徴とする周辺装置。
【発明の詳細な説明】
【技術分野】
【０００１】
本発明は、メータおよびメータの周辺装置に関し、より詳細には、メータおよび周辺装置の状態に応じたメッセージをユーザに伝える伝達手段を有するメータ及びメータの周辺装置に関する。
【背景技術】
【０００２】
例えばガスメータや水道メータなどの特定の媒体の流量計測を行うメータとして、マイコンで制御される所謂マイコンメータが知られている。このマイコンメータには、予め設定された各種の警告事象の発生を検出し、その検出結果に従って警告表示を表示部に表示するようになっている。
例えばガスメータの各種機能には、保安上重要な遮断機能の他に、消費者の利便性のための機能や、ガス業者にとって作業効率の向上を図るための機能などが含まれ、ユーザが使用するガス機器などの使用環境に合わせて、適宜必要な機能が選択され設定される。このときの設定データは、マイコン内のメモリに記憶され、この設定に従ってガスメータが備える各種機能が実行されることになる。
【０００３】
上述の各種機能のうち、ガス供給の遮断機能を備えたガスメータにあっては、遮断が何によって発生したかをガス事業者やガス使用者に提示するために、ガスメータの表示部にこの発生事象に大まかに対応した表示が行われている。ここで、現状のマイクロコンピュータを搭載したガスメータ（マイコンメータ）では、ＡＢＣ表示で表示内容の表示が行われている。
【０００４】
図１８は、従来技術のガスメータにおけるガス供給遮断時の表示部での表示を示す図である。従来のガスメータにおける遮断事項表示処理では、遮断事項が発生したか否かを判断することによって、発生していればその遮断事象を表示部に表示し、発生していなければ処理を終了している。例えば、テスト遮断，感震器遮断，警報器遮断のいずれかであれば、「Ｂ，Ｃ，ガス止」を図９のように表示部３０のＡＢＣ表示領域１０１に表示し、電池電圧低下遮断であれば、「Ａ，ガス止」を表示部１００のＡＢＣ表示領域１０１に表示する。
【０００５】
上記のようなガスメータの警告表示に関し、例えば特許文献１のガスメータは、安全管理に関する警告表示などの各種の情報を表示する警告表示手段としての警告表示器を有している。この警告表示器は、液晶表示部とＬＥＤインジケータからなり、液晶表示部にはＡＢＣ表示部を含む各種の表示部があり、例えば、液晶表示部のＡＢＣ表示の３つの表示の有無とＬＥＤインジケータの点灯、点滅及び不点灯によって多数の警告表示を行う。
【０００６】
また特許文献２の自動検針ユニットは、前面パネルに、ＬＣＤ表示部と、ＬＣＤ表示部に隣接して設けられ、ガスメータの状態に応じた対応策を説明する複数の文字メッセージを印刷等の手段により表示するガイダンス表示部とを有している。そしてこの自動検針ユニットは、ＬＣＤ表示部の表示画面に、ガスメータの状態に応じて文字メッセージを選択的に指示する指示マークを表示することで、ガス消費者が何を行えばよいかをガイダンスすることができる。
【０００７】
また特許文献３，及びに特許文献４の宅内表示システムは、ガス保安センタからの各種情報をガス供給先である家屋内において表示するシステムであり、各々のガス供給先（家屋）内に設けられた宅内表示装置と、ガス保安センタに設けられ宅内表示装置の各々と情報の授受を行う保安監視装置とを有している。そして保安監視装置は、ガス供給先からの通知に対応する指示情報をＮＣＵ（Network Control Unit）を介して宅内表示装置に出力し、宅内表示装置は、その指示情報を受けると、指示情報に対応する表示情報を画面表示する。
【特許文献１】特開２００６−１７５１５号公報
【特許文献２】特開２００６−６４４３１号公報
【特許文献３】特開平１１−２３０８０７号公報
【特許文献４】特開平１１−２３０８０８号公報
【発明の開示】
【発明が解決しようとする課題】
【０００８】
上記のように、従来のガスメータでは、その警告表示をＡＢＣ表示の３つの表示の有無とＬＥＤインジケータの点灯、点滅及び不点灯によって行っているため、一般のガス消費者にとっては警告表示の意味が判りにくいという課題がある。特許文献１の警告表示もこのような表示方法を採っている。
また、従来のガスメータでは、警告表示の意味を液晶表示部の周囲に印刷して記載することによって、ガス消費者に警告表示の意味を示していた。しかし限られたスペースに全ての警告表示についてその意味を記載することが困難であるという課題がある。
【０００９】
また、複数の遮断事象について同じ警告表示である場合が多いため、警告表示の内容から遮断理由を知ることができず、ガスメータが何らかの要因で遮断した場合には、遮断要因の確定に時間を要していた。そしてこれにより弁開までの作業効率が悪くなり、ガス消費者宅でガスが使えない状態が続き、ガス使用者宅に多大な迷惑がかかるという課題がある。また、警告表示時にガス使用者へ直接指示をすることができないという課題もあった。
【００１０】
また特許文献２の自動検針ユニットでは、ＬＣＤ表示部の表示画面にガスメータの状態に応じて文字メッセージを選択的に指示する指示マークを表示するため、文字メッセージの種類は前面パネルのスペースによって制限され、ガスメータの状態に応じた多様なメッセージを出すことが困難であるという課題がある。
【００１１】
さらに特許文献３及び特許文献４の宅内表示システムでは、ガス保安センタがガス使用者に報知したい情報や、ガス使用者がガス保安上必要とする情報、あるいは付加価値的な情報を表示するため、多様な情報を表示可能な画面を必要とし、コストが高くなるという課題がある。
【００１２】
本発明は、上述のごとき実情に鑑みてなされたものであり、小さいサイズの表示手段を用いてコストを大幅に引き上げることなく、一般の消費者にわかりやすく多様なメッセージを伝えることができるようにしたメータ、及びメータの周辺装置を提供することを目的とする。
【課題を解決するための手段】
【００１３】
請求項１の発明は、２次元コードを作成する２次元コード作成手段と、２次元コード作成手段が作成した２次元コードを表示する表示手段とを有するメータであって、２次元コード作成手段は、メータの内部状態に応じたメッセージを表す２次元コードを作成することを特徴としたものである。
【００１４】
請求項２の発明は、２次元コードを作成する２次元コード作成手段と、２次元コード作成手段が作成した２次元コードを表示する表示手段とを有し、周辺装置に接続されるメータであって、２次元コード作成手段は、周辺装置の内部状態に応じたメッセージを表す２次元コードを作成することを特徴としたものである。
【００１５】
請求項３の発明は、２次元コードを作成する２次元コード作成手段と、２次元コード作成手段が作成した２次元コードを表示する表示手段とを有し、周辺装置を介してホスト装置に接続されるメータであって、２次元コード作成手段は、ホスト装置の内部状態に応じたメッセージを表す２次元コードを作成することを特徴としたものである。
【００１６】
請求項４の発明は、２次元コードを作成する２次元コード作成手段と、２次元コード作成手段が作成した２次元コードを表示する表示手段とを有し、メータに接続される周辺装置であって、２次元コード作成手段は、周辺装置の内部状態に応じたメッセージを表す２次元コードを作成することを特徴としたものである。
【００１７】
請求項５の発明は、２次元コードを作成する２次元コード作成手段と、２次元コード作成手段が作成した２次元コードを表示する表示手段とを有し、メータに接続される周辺装置であって、２次元コード作成手段は、メータの内部状態に応じたメッセージを表す２次元コードを作成することを特徴としたものである。
【００１８】
請求項６の発明は、２次元コードを作成する２次元コード作成手段と、２次元コード作成手段が作成した２次元コードを表示する表示手段とを有し、メータを介して他の周辺装置に接続される周辺装置であって、２次元コード作成手段は、他の周辺装置の内部状態に応じたメッセージを表す２次元コードを作成することを特徴としたものである。
【００１９】
請求項７の発明は、２次元コードを作成する２次元コード作成手段と、２次元コード作成手段が作成した２次元コードを表示する表示手段とを有し、他の周辺装置に接続される周辺装置であって、２次元コード作成手段は、他の周辺装置の内部状態に応じたメッセージを表す２次元コードを作成することを特徴としたものである。
【００２０】
請求項８の発明は、２次元コードを作成する２次元コード作成手段と、２次元コード作成手段が作成した２次元コードを表示する表示手段とを有し、メータに接続されるとともにネットワークを介してホスト装置に接続される周辺装置であって、２次元コード作成手段は、ホスト装置の内部状態に応じたメッセージを表す２次元コードを作成することを特徴としたものである。
【発明の効果】
【００２１】
本発明によれば、小さいサイズの表示手段を用いてコストを大幅に引き上げることなく、一般の消費者にわかりやすく多様なメッセージを伝えることができるようにしたメータ、及びメータの周辺装置を提供することができる。
【発明を実施するための最良の形態】
【００２２】
本発明に係る実施形態について、添付された図面を参照しながら具体的に説明する。以下の実施形態では、本発明に係るメータとしてガスメータを適用した例を説明するが、本発明のメータは、ガスメータに限ることなく、水道メータ、電力メータ、温水メータ、灯油メータ、下水メータなどの各種のメータに適用が可能である。
【００２３】
＜実施形態１＞
図１は、本発明の一実施形態に係るガスメータの機能を説明するためのブロック図である。ガスメータ１０は、内部状態判定手段１１、メッセージ作成手段１２、２次元コード作成手段１３、表示手段１４、記憶手段１５、及び検索手段１６を備えている。
内部状態判定手段１１、メッセージ作成手段１２、２次元コード作成手段１３、検索手段１６は、マイコンの演算処理によって実現されるものである。また記憶手段１５は、ガスメータの機能を実現するプログラムやデータを保持するメモリであり、表示手段１４は、マイコンにより処理されたデータを所定のプログラムまたは外部からの指令に従って表示するＬＣＤ（液晶ディスプレイ）などの表示装置であって、この他電子ペーパーを適用することもできる。
【００２４】
内部状態判定手段１１は、ガスメータ１０の内部状態の判定を行う。内部状態としては、警告事象の発生（たとえば、流量式微少漏洩警告、圧力式微少漏洩警告、調整圧力異常警告、閉塞圧力異常警告など）、遮断事象の発生（たとえば、合計流量遮断、増加流量遮断、使用時間遮断、復帰安全確認中漏洩遮断、ガス漏れ警報器連動遮断、感震器作動遮断、圧力低下遮断など）、機能処理状態（例えば、残量管理、学習、口火登録、ロードサーベイなど）があげられる。これら警告事象についは、例えば特開２００６−１７５０８号公報等に開示され、また遮断事象については特開２００６−１７５１５号公報等に開示されている。
【００２５】
検索手段１６は、内部状態判定手段１１による判定結果に従って、ガスメータ１０の内部状態に対応する内部状態情報を記憶手段１５から検索する。メッセージ作成手段１２は、検索手段１６が記憶手段１５から検索した内部状態情報に従って、ガスメータ１０の内部状態に対応したメッセージを作成する。
作成するメッセージとしては、漢字、平仮名、片仮名、アルファベット、数字、記号からなる文字メッセージがあげられる。例えば、「消し忘れのためガスを遮断しました。」、「ガス会社へ電話してください。００００−００００−００００」といった文字メッセージがあげられる。
作成されたメッセージは、２次元コード作成手段１３により２次元コードに変換される。そして変換された２次元コードは、表示手段１４に表示される。
【００２６】
図２は、ガスメータに表示した２次元コードを読み取ってメッセージを表示させるときに使用する装置構成を概略的に示す図で、図２（Ａ）はガスメータの外観を示す図、図２（Ｂ）は２次元コード読取装置の表側の外観図、図２（Ｃ）は２次元コード読取装置の裏側外観図である。
上述したように、ガスメータ１０は、その内部状態に応じた２次元コード１７を表示手段１４に表示する。ここでガス消費者は、２次元コード読取装置２０を使用して、ガスメータ１０の表示手段１４に表示された２次元コード１７を読み取る。
【００２７】
２次元コード読み取り装置２０は、撮像手段２１と表示手段２２とを有している。そしてこの２次元コード読取装置２０は、撮像手段２１により撮像した２次元コード１７をメッセージに変換（復号）し、変換したメッセージを表示手段２２に表示する機能を有している。また２次元コード読取装置２０は、撮像した２次元コード１７を変換したメッセージにＵＲＬが含まれる場合、そのＵＲＬが示すＷｅｂサイトにアクセスしてＷｅｂページを表示する機能を有している。このような２次元コード読取装置２０としては、カメラ付き携帯電話があげられる。特に、ＱＲコード（登録商標）の読み取り機能を備えたカメラ付き携帯電話が好ましい。以下の実施形態においても同様である。
【００２８】
２次元コードとしてはＱＲコードを用いることができる。ＱＲコードは、マトリックス型二次元コードの一種で、白と黒の格子状のパターンで情報を表したものである。図３は、ＱＲコードの例を模式的に示す図である。２次元コードは、メッセージの内容によって異なるパターンとなる。例えば図３（Ａ）はメッセージＡを表す２次元コードであり、図３（Ｂ）はメッセージＢを表す２次元コードである。このように２次元コードのパターンは、その符号化された情報の内容によって変化する。この２次元コードを読み取って、符号化された情報を復号（変換）することで符号化された情報の内容を知ることができる。
【００２９】
上記のような構成により、ガスメータ１０の表示手段１４に表示される２次元コード１７をガス消費者が２次元コード読取装置２０によって読み取ると、２次元コード読取装置２０は、２次元コードをメッセージに変換してその表示手段２２に表示するので、ガス消費者は、ガスメータ内部の状態に対応したメッセージを読むことができるようになる。これにより、一般の消費者にわかりやすく、多様なメッセージを伝えることができる。またガスメータ１０の表示手段１４には、２次元コードを表示させるため、文字を直接表示する場合に比べて表示手段１４のサイズを小さくでき、コストを大幅に引き上げることなく本実施形態の構成が実現できる。
【００３０】
＜実施形態２＞
図４は、本発明の他の実施形態に係るガスメータの機能を説明するためのブロック図である。本実施形態のガスメータ１０は、周辺装置３０に接続され、当該周辺装置３０との間で通信を行う。ガスメータ１０に接続される周辺装置３０としては、遠隔表示装置、警報器、集中検針装置、ＮＣＵ（Network Control Unit）、無線通信装置、及びルータなどがあげられる。ＮＣＵは、ガスメータ１０との間で発呼、選択信号の送出，切断など電話交換網を制御するものである。
【００３１】
周辺装置３０は、内部状態判定手段３１、メッセージ作成手段３２、通信手段３３、記憶手段３４、及び検索手段３５を備えている。また周辺装置３０と通信を行うガスメータ１０は、通信手段１８、２次元コード作成手段１３、及び表示手段１４を備えている。２次元コード作成手段１３及び表示手段１４は、上記実施形態１のガスメータ１０と同様の機能を有するものである。
【００３２】
周辺装置３０の内部状態判定手段３１は、周辺装置３０の内部状態の判定を行う。周辺装置３０の内部状態としては、機能処理状態（例えば、通信、自動検針など）があげられる。
そして周辺装置３０の検索手段３５は、内部状態判定手段３１による判定結果に従って、周辺装置３０の内部状態に対応する内部状態情報を記憶手段３４から検索する。メッセージ作成手段３２は、検索手段３５が検索した内部状態情報に従って、周辺装置３０の内部状態に対応したメッセージを作成する。作成するメッセージとしては、漢字、平仮名、片仮名、アルファベット、数字、記号からなる文字メッセージがあげられる。例えば、「通信は正常に完了しました。」といった文字メッセージがあげられる。
【００３３】
メッセージ作成手段３２により作成されたメッセージは、通信手段３３によりガスメータ１０に送信される。ガスメータ１０の通信手段１８は、周辺装置３０から送信されたメッセージを受信する。これら周辺装置３０の通信手段３３及びガスメータ１０の通信手段１８により実現される通信方式としては有線通信または無線通信があげられる。
【００３４】
ガスメータ１０の２次元コード作成手段１３は、通信手段１８によって受信したメッセージを２次元コードに変換する。そして変換した２次元コードを、表示手段１４に表示する。つまりここでは、周辺装置３０の内部状態に応じたメッセージを示す２次元コードが、ガスメータ１０の表示手段１４に表示される。
【００３５】
そして図２に示す実施形態と同様に、ガス消費者は、２次元コード読取装置２０により、表示された２次元コードを読み取る。２次元コード読取装置２０は、撮像手段により２次元コードを読み取って、２次元コードをメッセージに変換（復号）し、メッセージを表示する。また２次元コードから変換したメッセージがＵＲＬを含む場合、ＵＲＬの示すＷｅｂサイトにアクセスしてＷｅｂページを表示する。
【００３６】
上記のような構成により、ガスメータ１０の表示手段１４に表示される２次元コード１７をガス消費者が２次元コード読取装置２０によって読み取ると、２次元コード読取装置２０は、２次元コードをメッセージに変換してその表示手段２２に表示するので、ガス消費者は、周辺装置３０の内部状態に対応したメッセージを読むことができるようになる。これにより一般の消費者にわかりやすく、多様なメッセージを伝えることができるようになる。またガスメータ１０の表示手段１４に２次元コードを表示させるため、文字を直接表示する場合に比べて表示手段のサイズを小さくでき、コストを大幅に引き上げることなく本実施形態の構成を実現できる。
【００３７】
＜実施形態３＞
図５は、本発明の更に他の実施形態に係るガスメータの機能を説明するためのブロック図である。本実施形態は、実施形態２と同様の機能を実現するものであるが、実施形態２の構成と異なり、周辺装置３０が、内部状態判定手段３１、及び通信手段３３を備え、ガスメータ１０が通信手段１８、メッセージ作成手段１２、２次元コード作成手段１３、表示手段１４、記憶手段１５、及び検索手段１６を備えている。
【００３８】
つまり本実施形態では、周辺装置３０の内部状態判定手段３１は、周辺装置３０の内部状態を判定し、その判定結果を通信手段３３を介してガスメータ１０に送る。
ガスメータ１０では、通信手段１８によって周辺装置３０の内部状態の判定結果を受信し、検索手段１６が、その内部状態の判定結果に従って、周辺装置３０の内部状態に対応する内部状態情報を記憶手段１５から検索する。そしてメータ１０のメッセージ作成手段１２は、検索手段１６が記憶手段１５から検索した内部状態情報に従って、周辺装置３０の内部状態に対応したメッセージを作成する。作成されたメッセージは、２次元コード作成手段１３により２次元コードに変換され、表示手段１４により表示される。後は、上記の例と同様に、２次元コード読取装置２０によってガスメータ１０に表示された２次元コードを読み取り、読み取った２次元コードをメッセージに変換してそのメッセージを２次元コード読取装置２０の表示手段２２に表示させる。
【００３９】
＜実施形態４＞
図６は、本発明の更に他の実施形態に係るガスメータの機能を説明するためのブロック図である。本実施形態では、ガスメータ１０は、周辺装置３０に接続され、さらに周辺装置３０がネットワーク５０を介してホスト装置４０に接続されている。
ホスト装置４０は、内部状態判定手段４１、メッセージ作成手段４２、通信手段４３、検索手段４５、及び記憶手段４４を備えている。ホスト装置４０は、例えばガス保安センタに設置され、ネットワーク５０を介してメータ１０およびメータの周辺装置３０と情報の授受を行う。ホスト装置４０の内部状態としては、機能処理状態（例えば、指示情報配信、付加的情報配信など）があげられる。
【００４０】
ホスト装置４０の内部状態判定手段４１は、ホスト装置４０の内部状態を判定する。検索手段４５は、内部状態判定手段４１による判定結果に従って、ホスト装置４０の内部状態に対応する内部状態情報を記憶手段４４から検索する。メッセージ作成手段４２は、検索手段４５が検索した内部状態情報に従って、ホスト装置４０の内部状態に対応したメッセージを作成する。メッセージとしては、漢字、平仮名、片仮名、アルファベット、数字、記号からなる文字メッセージがあげられ、例えば遮断弁の復帰方法といった文字メッセージがあげられる。
【００４１】
ホスト装置４０のメッセージ作成手段４２で作成されたメッセージは、通信手段４３によりネットワーク５０を介して周辺装置３０に送信される。通信手段４３による実現される通信方式としては有線通信または無線通信があげられる。周辺装置３０は、通信手段３３を有し、その通信手段３３によりホスト装置４０からのメッセージを受信して、ガスメータ１０に転送する。
【００４２】
ガスメータ１０は、通信手段１８、２次元コード作成手段１３、及び表示手段１４を有している。そしてガスメータ１０は、周辺装置３０から転送されたメッセージを通信手段１８により受信し、２次元コード作成手段１３によりメッセージを２次元コードに変換して、変換した２次元コードを表示手段１４に表示する。これによりホスト装置４０の内部状態に応じた２次元コードがガスメータ１０の表示手段１４に表示される。
【００４３】
上記各実施形態と同様に、ガス消費者は、２次元コード読取装置２０により、表示された２次元コードを読み取る。２次元コード読取装置２０は、撮像手段２１と表示手段２２を有し、撮像手段２１により２次元コードを読み取って、２次元コードをメッセージに変換（復号）し、メッセージを表示する。２次元コードから変換したメッセージがＵＲＬを含む場合、ＵＲＬの示すＷｅｂサイトにアクセスしてＷｅｂページを表示する。
【００４４】
上記のような構成により、ガスメータ１０の表示手段１４に表示される２次元コード１７をガス消費者が２次元コード読取装置２０によって読み取ると、２次元コード読取装置２０は、２次元コードをメッセージに変換してその表示手段２２に表示するので、ガス消費者は、ホスト装置４０の内部状態に対応したメッセージを読むことができるようになる。これにより一般の消費者にわかりやすく、多様なメッセージを伝えることができる。またガスメータ１０の表示手段１４に２次元コードを表示させるため、文字を直接表示する場合に比べて表示手段１４のサイズを小さくでき、コストを大幅に引き上げることなく本実施形態の構成を実現できる。
【００４５】
＜実施形態５＞
図７は、本発明の更に他の実施形態に係るガスメータの機能を説明するためのブロック図である。本実施形態は、実施形態４と同様の機能を実現するものであるが、実施形態４の構成と異なり、ホスト装置４０が、内部状態判定手段４１、及び通信手段４３を備え、ガスメータ１０が通信手段１８、メッセージ作成手段１２、２次元コード作成手段１３、表示手段１４、記憶手段１５、及び検索手段１６を備えている。
【００４６】
つまり本実施形態では、ホスト装置４０の内部状態判定手段４１は、ホスト装置４０の内部状態を判定し、その判定結果を通信手段４３を使用して、ネットワーク５０を介して周辺装置３０に送る。周辺装置３０は、通信手段３３によりホスト装置４０からのメッセージを受信して、ガスメータ１０に転送する。
【００４７】
ガスメータ１０では、通信手段１８によってホスト装置４０の内部状態の判定結果を受信し、検索手段１６が、その内部状態の判定結果に従って、ホスト装置４０の内部状態に対応する内部状態情報を記憶手段１５から検索する。そしてガスメータ１０のメッセージ作成手段１２は、検索手段１６が記憶手段１５から検索した内部状態情報に従って、ホスト装置４０の内部状態に対応したメッセージを作成する。作成されたメッセージは、２次元コード作成手段１３により２次元コードに変換され、表示手段１４により表示される。後は、上記の例と同様に、ガスメータ１０に表示された２次元コードを２次元コード読取装置２０によって読み取り、読み取った２次元コードをメッセージに変換してそのメッセージを２次元コード読取装置２０の表示手段２２に表示させる。
【００４８】
＜実施形態６＞
図８は、本発明の一実施形態に係る周辺装置の機能を説明するためのブロック図である。周辺装置３０は例えばガスメータに接続されるもので、例えば、ガスメータの遠隔表示装置、警報器、集中検針装置、ＮＣＵ、無線通信装置、及びルータなどがあげられる。
【００４９】
周辺装置３０は、内部状態判定手段３１、メッセージ作成手段３２、２次元コード作成手段３６、表示手段３７、記憶手段３４、及び検索手段３５を備えている。周辺装置３０の内部状態判定手段３１は、周辺装置３０の内部状態の判定を行う。周辺装置３０の内部状態としては、機能処理状態（たとえば、通信、自動検針など）があげられる。
【００５０】
そして周辺装置３０の検索手段３５は、内部状態判定手段３１による判定結果に従って、周辺装置３０の内部状態に対応する内部状態情報を記憶手段３４から検索する。メッセージ作成手段３２は、検索手段３５が検索した内部状態情報に従って、周辺装置３０の内部状態に対応したメッセージを作成する。作成するメッセージとしては、漢字、平仮名、片仮名、アルファベット、数字、記号からなる文字メッセージがあげられる。例えば、「通信は正常に完了しました。」といった文字メッセージがあげられる。
【００５１】
２次元コード作成手段３６は、メッセージ作成手段３２により作成されたメッセージを２次元コードに変換する。そして変換した２次元コードを、表示手段３７に表示する。つまりここでは、周辺装置３０の内部状態に応じたメッセージを示す２次元コードが、周辺装置３０の表示手段３７に表示される。
【００５２】
図９は、周辺装置に表示した２次元コードを読み取ってメッセージを表示させるときに使用する装置構成を概略的に示す図で、図９（Ａ）は周辺装置の外観を示す図、図９（Ｂ）は２次元コード読取装置の表側の外観図、図９（Ｃ）は２次元コード読取装置の裏側外観図である。上述したように、周辺装置３０は、その内部状態に応じた２次元コード１７を表示手段３７に表示する。ここでガス消費者は、２次元コード読み取り装置２０を使用して、周辺装置３０の表示手段３７に表示された２次元コード１７を読み取る。
【００５３】
２次元コード読取装置２０は、撮像手段２１と表示手段２２とを有している。そしてこの２次元コード読取装置２０は、撮像手段２１により撮像した２次元コード１７をメッセージに変換（復号）し、変換したメッセージを表示手段２２に表示する。また２次元コード読取装置２０は、撮像した２次元コード１７を変換したメッセージにＵＲＬが含まれる場合、そのＵＲＬが示すＷｅｂサイトにアクセスしてＷｅｂページを表示する。
【００５４】
上記のような構成により、周辺装置３０の表示手段３７に表示される２次元コード１７をガス消費者が２次元コード読取装置２０によって読み取ると、２次元コード読取装置２０は、２次元コードをメッセージに変換してその表示手段２２に表示するので、ガス消費者は、周辺装置内部の状態に対応したメッセージを読むことができるようになる。これにより一般の消費者にわかりやすく、多様なメッセージを伝えることができる。また周辺装置３０の表示手段３７に２次元コードを表示させるため、文字を直接表示する場合に比べて表示手段３７のサイズを小さくでき、コストを大幅に引き上げることなく本実施形態の構成を実現できる。
【００５５】
＜実施形態７＞
図１０は、本発明の他の実施形態に係る周辺装置の機能を説明するためのブロック図である。本実施形態の周辺装置３０は、ガスメータ１０に接続され、当該ガスメータ１０との間で通信を行う。ガスメータ１０に接続される周辺装置３０としては、遠隔表示装置、警報器、集中検針装置、ＮＣＵ、無線通信装置、及びルータなどがあげられる。
【００５６】
ガスメータ１０は、内部状態判定手段１１、メッセージ作成手段１２、通信手段１９、記憶手段１５、及び検索手段１６を備えている。またガスメータ１０と通信を行う周辺装置３０は、通信手段３３、２次元コード作成手段３６、及び表示手段３７を備えている。
ガスメータ１０の内部状態判定手段１１は、ガスメータ１０の内部状態の判定を行う。そしてガスメータ１０の検索手段１６は、内部状態判定手段１１による判定結果に従って、ガスメータ１０の内部状態に対応する内部状態情報を記憶手段１５から検索する。メッセージ作成手段１２は、検索手段１６が検索した内部状態情報に従って、ガスメータ１０の内部状態に対応したメッセージを作成する。作成するメッセージとしては、漢字、平仮名、片仮名、アルファベット、数字、記号からなる文字メッセージがあげられる。
【００５７】
メッセージ作成手段１２により作成されたメッセージは、通信手段１９により周辺装置３０に送信される。周辺装置３０の通信手段３３は、ガスメータ１０から送信されたメッセージを受信する。これらガスメータ１０の通信手段１９及び周辺装置３０の通信手段３３により実現される通信方式としては有線通信または無線通信があげられる。
【００５８】
周辺装置３０の２次元コード作成手段３６は、通信手段３３によって受信したメッセージを２次元コードに変換する。そして変換した２次元コードを、表示手段３７に表示する。つまりここでは、ガスメータ１０の内部状態に応じたメッセージを示す２次元コードが、周辺装置３０の表示手段３７に表示される。
【００５９】
そして上記の各実施形態と同様に、ここでガス消費者は、２次元コード読取装置２０により、表示された２次元コードを読み取る。２次元コード読取装置２０は、撮像手段２１により２次元コードを読み取って、２次元コードをメッセージに変換（復号）し、メッセージを表示する。また２次元コードから変換したメッセージがＵＲＬを含む場合、ＵＲＬの示すＷｅｂサイトにアクセスしてＷｅｂページを表示する。
【００６０】
上記のような構成により、周辺装置３０の表示手段３７に表示される２次元コード１７をガス消費者が２次元コード読取装置２０によって読み取ると、２次元コード読取装置２０は、２次元コードをメッセージに変換してその表示手段２２に表示するので、ガス消費者は、ガスメータ１０の内部状態に対応したメッセージを読むことができるようになる。これにより一般の消費者にわかりやすく、多様なメッセージを伝えることができる。また周辺装置３０の表示手段３７に２次元コードを表示させるため、文字を直接表示する場合に比べて表示手段３７のサイズを小さくでき、コストを大幅に引き上げることなく本実施形態の構成を実現できる。
【００６１】
＜実施形態８＞
図１１は、本発明の更に他の実施形態に係る周辺装置の機能を説明するためのブロック図である。本実施形態は、実施形態７と同様の機能を実現するものであるが、実施形態７の構成と異なり、ガスメータ１０が、内部状態判定手段１１、及び通信手段１９を備え、周辺装置３０が通信手段３３、メッセージ作成手段３２、２次元コード作成手段３６、表示手段３７、記憶手段３４、及び検索手段３５を備えている。
【００６２】
つまり本実施形態では、ガスメータ１０の内部状態判定手段１１は、ガスメータ１０の内部状態を判定し、その判定結果を通信手段１９を介して周辺装置３０に送る。
周辺装置３０では、通信手段３３によってガスメータ１０の内部状態の判定結果を受信し、検索手段３５が、その内部状態の判定結果に従って、ガスメータ１０の内部状態に対応する内部状態情報を記憶手段３４から検索する。そして周辺装置３０のメッセージ作成手段３２は、検索手段３５が記憶手段３４から検索した内部状態情報に従って、ガスメータ１０の内部状態に対応したメッセージを作成する。作成されたメッセージは、２次元コード作成手段３６により２次元コードに変換され、表示手段３７により表示される。後は、上記の例と同様に、２次元コード読取装置２０によって周辺装置３０に表示された２次元コードを読み取り、読み取った２次元コードをメッセージに変換してそのメッセージを２次元コード読取装置２０の表示手段２２に表示させる。
【００６３】
＜実施形態９＞
図１２は、本発明の更に他の実施形態に係る周辺装置の機能を説明するためのブロック図である。本実施形態では、周辺装置３０は、ガスメータ１０に接続され、さらにガスメータ１０が第２の周辺装置６０に接続されている。第２の周辺装置６０は本発明の他の周辺装置に該当するものである。第２の周辺装置６０は、周辺装置３０と同様に、遠隔表示装置、警報器、集中検針装置、ＮＣＵ、無線通信装置、及びルータなどがあげられる。
【００６４】
第２の周辺装置６０は、内部状態判定手段６１、メッセージ作成手段６２、通信手段６３、検索手段６５、及び記憶手段６４を備えている。第２の周辺装置６０の内部状態判定手段６１は、第２の周辺装置６０の内部状態を判定する。検索手段６５は、内部状態判定手段６１による判定結果に従って、第２の周辺装置６０の内部状態に対応する内部状態情報を記憶手段６４から検索する。メッセージ作成手段６２は、検索手段６５が検索した内部状態情報に従って、第２の周辺装置６０の内部状態に対応したメッセージを作成する。メッセージとしては、漢字、平仮名、片仮名、アルファベット、数字、記号からなる文字メッセージがあげられ、例えば遮断弁の復帰方法といった文字メッセージがあげられる。
【００６５】
第２の周辺装置６０のメッセージ作成手段６２で作成されたメッセージは、通信手段６３によりガスメータ１０に送信される。通信手段６３による実現される通信方式としては有線通信または無線通信があげられる。ガスメータ１０は、通信手段１８を有し、その通信手段１８により第２の周辺装置６０からのメッセージを受信して、周辺装置３０に転送する。
【００６６】
周辺装置３０は、通信手段３３、２次元コード作成手段３６、及び表示手段３７を有している。そして周辺装置３０は、ガスメータ１０から転送されたメッセージを通信手段３３により受信し、２次元コード作成手段３６によりメッセージを２次元コードに変換して、変換した２次元コードを表示手段３７に表示する。これにより第２の周辺装置６０の内部状態に応じた２次元コードが周辺装置３０の表示手段３７に表示される。
【００６７】
上記各実施形態と同様に、ガス消費者は、２次元コード読取装置２０により、表示された２次元コードを読み取る。２次元コード読取装置２０は、撮像手段２１と表示手段２２を有し、撮像手段２１により２次元コードを読み取って、２次元コードをメッセージに変換（復号）し、変換したメッセージを表示する。２次元コードから変換したメッセージがＵＲＬを含む場合、ＵＲＬの示すＷｅｂサイトにアクセスしてＷｅｂページを表示する。
【００６８】
上記のような構成により、周辺装置３０の表示手段３７に表示される２次元コード１７をガス消費者が２次元コード読取装置２０によって読み取ると、２次元コード読取装置２０は、２次元コードをメッセージに変換してその表示手段２２に表示するので、ガス消費者は、第２の周辺装置６０の内部状態に対応したメッセージを読むことができるようになる。これにより一般の消費者にわかりやすく、多様なメッセージを伝えることができる。また周辺装置３０の表示手段３７に２次元コードを表示させるため、文字を直接表示する場合に比べて表示手段３７のサイズを小さくでき、コストを大幅に引き上げることなく本実施形態の構成を実現できる。
【００６９】
＜実施形態１０＞
図１３は、本発明の更に他の実施形態に係る周辺装置の機能を説明するためのブロック図である。本実施形態は、実施形態９と同様の機能を実現するものであるが、実施形態９の構成と異なり、第２の周辺装置６０が、内部状態判定手段６１、及び通信手段６３を備え、周辺装置３０が通信手段３３、メッセージ作成手段３２、２次元コード作成手段３６、表示手段３７、記憶手段３４、及び検索手段３５を備えている。
【００７０】
つまり本実施形態では、第２の周辺装置６０の内部状態判定手段６１は、第２の周辺装置６０の内部状態を判定し、その判定結果を通信手段６３を使用して、ガスメータ１０に送る。ガスメータ１０は、通信手段１８により第２の周辺装置６０からのメッセージを受信して、周辺装置３０に転送する。
【００７１】
周辺装置３０では、通信手段３３によって第２の周辺装置６０の内部状態の判定結果を受信し、検索手段３５が、その内部状態の判定結果に従って、第２の周辺装置６０の内部状態に対応する内部状態情報を記憶手段３４から検索する。そして周辺装置３０のメッセージ作成手段３２は、検索手段３５が記憶手段３４から検索した内部状態情報に従って、
第２の周辺装置６０の内部状態に対応したメッセージを作成する。作成されたメッセージは、２次元コード作成手段３６により２次元コードに変換され、表示手段３７により表示される。後は、上記の例と同様に、周辺装置３０に表示された２次元コードを２次元コード読取装置２０によって読み取り、読み取った２次元コードをメッセージに変換してそのメッセージを２次元コード読取装置２０の表示手段２２に表示させる。
【００７２】
＜実施形態１１＞
図１４は、本発明の更に他の実施形態に係る周辺装置の機能を説明するためのブロック図である。本実施形態では、周辺装置３０は、第２の周辺装置６０に接続されている。第２の周辺装置６０は本発明の他の周辺装置に該当するものである。
【００７３】
第２の周辺装置６０は、内部状態判定手段６１、メッセージ作成手段６２、通信手段６３、検索手段６５、及び記憶手段６４を備えている。第２の周辺装置６０の内部状態判定手段６１は、第２の周辺装置６０の内部状態を判定する。検索手段６５は、内部状態判定手段６１による判定結果に従って、第２の周辺装置６０の内部状態に対応する内部状態情報を記憶手段６４から検索する。メッセージ作成手段６２は、検索手段６５が検索した内部状態情報に従って、第２の周辺装置６０の内部状態に対応したメッセージを作成する。メッセージとしては、漢字、平仮名、片仮名、アルファベット、数字、記号からなる文字メッセージがあげられ、例えば遮断弁の復帰方法といった文字メッセージがあげられる。
【００７４】
第２の周辺装置６０のメッセージ作成手段６２で作成されたメッセージは、通信手段６３により周辺装置３０に送信される。通信手段６３による実現される通信方式としては有線通信または無線通信があげられる。
周辺装置３０は、通信手段３３、２次元コード作成手段３６、及び表示手段３７を有している。そして周辺装置３０は、第２の周辺装置６０から送信されたメッセージを通信手段３３により受信し、２次元コード作成手段３６によりメッセージを２次元コードに変換して、変換した２次元コードを表示手段３７に表示する。これにより第２の周辺装置６０の内部状態に応じた２次元コードが周辺装置３０の表示手段３７に表示される。
【００７５】
上記各実施形態と同様に、ガス消費者は、２次元コード読取装置２０により、表示された２次元コードを読み取る。２次元コード読取装置２０は、撮像手段２１と表示手段２２を有し、撮像手段２１により２次元コードを読み取って、２次元コードをメッセージに変換（復号）し、変換したメッセージを表示する。２次元コードから変換したメッセージがＵＲＬを含む場合、ＵＲＬの示すＷｅｂサイトにアクセスしてＷｅｂページを表示する。２次元コード読み取り手段としてはカメラ付き携帯電話があげられ、特に、ＱＲコードの読み取り機能を備えたカメラ付き携帯電話を適用することが好ましい。
【００７６】
上記のような構成により、周辺装置３０の表示手段３７に表示される２次元コード１７をガス消費者が２次元コード読取装置２０によって読み取ると、２次元コード読取装置２０は、２次元コードをメッセージに変換してその表示手段２２に表示するので、ガス消費者は、第２の周辺装置６０の内部状態に対応したメッセージを読むことができるようになる。これにより一般の消費者にわかりやすく、多様なメッセージを伝えることができる。また周辺装置３０の表示手段３７に２次元コードを表示させるため、文字を直接表示する場合に比べて表示手段３７のサイズを小さくでき、コストを大幅に引き上げることなく本実施形態の構成を実現できる。
【００７７】
＜実施形態１２＞
図１５は、本発明の更に他の実施形態に係る周辺装置の機能を説明するためのブロック図である。本実施形態は、実施形態１１と同様の機能を実現するものであるが、実施形態１１の構成と異なり、第２の周辺装置６０が、内部状態判定手段６１、及び通信手段６３を備え、周辺装置３０が通信手段３３、メッセージ作成手段３２、２次元コード作成手段３６、表示手段３７、記憶手段３４、及び検索手段３５を備えている。
【００７８】
つまり本実施形態では、第２の周辺装置６０の内部状態判定手段６１は、第２の周辺装置６０の内部状態を判定し、その判定結果を通信手段６３を使用して、周辺装置３０に送る。周辺装置３０では、通信手段３３によって第２の周辺装置６０の内部状態の判定結果を受信し、検索手段３５が、その内部状態の判定結果に従って、第２の周辺装置６０の内部状態に対応する内部状態情報を記憶手段３４から検索する。そして周辺装置３０のメッセージ作成手段３２は、検索手段３５が記憶手段３４から検索した内部状態情報に従って、第２の周辺装置６０の内部状態に対応したメッセージを作成する。作成されたメッセージは、２次元コード作成手段３６により２次元コードに変換され、表示手段３７により表示される。後は、上記の例と同様に、周辺装置３０に表示された２次元コードを２次元コード読取装置２０によって読み取り、読み取った２次元コードをメッセージに変換してそのメッセージを２次元コード読取装置２０の表示手段２２に表示させる。
【００７９】
＜実施形態１３＞
図１６は、本発明の更に他の実施形態に係る周辺装置の機能を説明するためのブロック図である。本実施形態では、周辺装置３０は、ネットワーク５０を介してホスト装置４０に接続されている。ホスト装置４０は、内部状態判定手段４１、メッセージ作成手段４２、通信手段４３、検索手段４５、及び記憶手段４４を備えている。ホスト装置４０の内部状態としては、機能処理状態（たとえば、指示情報配信、付加的情報配信など）があげられる。
【００８０】
ホスト装置４０の内部状態判定手段４１は、ホスト装置４０の内部状態を判定する。検索手段４５は、内部状態判定手段４１による判定結果に従って、ホスト装置４０の内部状態に対応する内部状態情報を記憶手段４４から検索する。メッセージ作成手段４２は、検索手段が検索した内部状態情報に従って、ホスト装置４０の内部状態に対応したメッセージを作成する。メッセージとしては、漢字、平仮名、片仮名、アルファベット、数字、記号からなる文字メッセージがあげられ、例えば遮断弁の復帰方法といった文字メッセージがあげられる。
【００８１】
ホスト装置４０のメッセージ作成手段４２で作成されたメッセージは、通信手段４３によりネットワーク５０を介して周辺装置３０に送信される。通信手段４３による実現される通信方式としては有線通信または無線通信があげられる。
周辺装置３０は、通信手段３３、２次元コード作成手段３６、及び表示手段３７を有している。そして周辺装置３０は、ホスト装置４０から転送されたメッセージを通信手段３３により受信し、２次元コード作成手段３６によりメッセージを２次元コードに変換して、変換した２次元コードを表示手段３７に表示する。これによりホスト装置４０の内部状態に応じた２次元コードが周辺装置３０の表示手段３７に表示される。
【００８２】
上記各実施形態と同様に、ガス消費者は、２次元コード読取装置２０により、表示された２次元コードを読み取る。２次元コード読取装置２０は、撮像手段２１と表示手段２２を有し、撮像手段２１により２次元コードを読み取って、２次元コードをメッセージに変換（復号）し、変換したメッセージを表示する。２次元コードから変換したメッセージがＵＲＬを含む場合、ＵＲＬの示すＷｅｂサイトにアクセスしてＷｅｂページを表示する。
【００８３】
上記のような構成により、ガスメータ１０の表示手段１４に表示される２次元コード１７をガス消費者が２次元コード読取装置２０によって読み取ると、２次元コード読取装置２０は、２次元コードをメッセージに変換してその表示手段２２に表示するので、ガス消費者は、ホスト装置４０の内部状態に対応したメッセージを読むことができるようになる。これにより一般の消費者にわかりやすく、多様なメッセージを伝えることができる。また周辺装置３０の表示手段３７に２次元コードを表示させるため、文字を直接表示する場合に比べて表示手段３７のサイズを小さくでき、コストを大幅に引き上げることなく本実施形態の構成を実現できる。
【００８４】
＜実施形態１４＞
図１７は、本発明の更に他の実施形態に係るガスメータの機能を説明するためのブロック図である。本実施形態は、実施形態１３と同様の機能を実現するものであるが、実施形態１３の構成と異なり、ホスト装置４０が、内部状態判定手段４１、及び通信手段４３を備え、周辺装置３０が通信手段３３、メッセージ作成手段３２、２次元コード作成手段３６、表示手段３７、記憶手段３４、及び検索手段３５を備えている。
【００８５】
つまり本実施形態では、ホスト装置４０の内部状態判定手段４１は、ホスト装置４０の内部状態を判定し、その判定結果を通信手段４３を使用して、ネットワーク５０を介して周辺装置３０に送る。周辺装置３０では、通信手段３３によってホスト装置４０の内部状態の判定結果を受信し、検索手段３５が、その内部状態の判定結果に従って、ホスト装置４０の内部状態に対応する内部状態情報を記憶手段３４から検索する。
【００８６】
そして周辺装置３０のメッセージ作成手段３２は、検索手段３５が記憶手段３４から検索した内部状態情報に従って、ホスト装置４０の内部状態に対応したメッセージを作成する。作成されたメッセージは、２次元コード作成手段３６により２次元コードに変換され、表示手段３７により表示される。後は、上記の例と同様に、周辺装置３０に表示された２次元コードを２次元コード読取装置２０によって読み取り、読み取った２次元コードをメッセージに変換してそのメッセージを２次元コード読取装置２０の表示手段２２に表示させる。
【００８７】
＜メッセージの例＞
上記の各実施形態で作成されるメッセージの例を以下に示す。
メッセージの例としては、例えばメータの保安情報、指示情報、動作状態情報、操作説明情報、連絡先情報、ＵＲＬ情報、付加的情報、メータ仕様情報、動作ログ情報などに関する、メッセージを作成することができる。
【００８８】
保安情報は、メータの保安機能に関する情報であり、ガスメータの場合、合計流量遮断、増加流量遮断、使用時間遮断、復帰安全確認中漏洩遮断、ガス漏れ警報器連動遮断、感震器作動遮断、圧力低下遮断、流量式微少漏洩警告、圧力式微少漏洩警告、調整圧力異常警告、閉塞圧力異常警告、口火登録、テスト遮断、残量管理に関する情報などがあげられる。また水道メータの場合、漏水警告、過大流量警告、逆流警告、流量ゼロ警告に関する情報などがあげられる。これらの情報に関するメッセージを表示させることができる。
【００８９】
また指示情報は、消費者（需要家）が何をすればよいかを案内する情報であり、例えば、ガス会社への連絡を促すメッセージなどを表示させることができる。
また動作状態情報は、装置の機能動作に関する情報であり、ガスメータの場合、残量管理、学習、口火登録、ロードサーベイ、現在の流量区分値などの情報があげられる。
設定状態情報は、装置の設定に関する情報であり、ガスメータの場合、漏洩検査中、拡張２適用中などの情報があげられる。
操作説明情報は、装置の操作方法に関わる情報であり、ガスメータの遮断弁復帰方法などの情報があげられる。
【００９０】
また連絡先情報は、販売店、保安センタの電話番号、メールアドレスなどの情報である。ＵＲＬ情報は、装置の操作方法を詳しく説明するＷｅｂサイトのＵＲＬなどの情報である。また付加的情報は、日割り使用量、日割り料金、流量区分別積算値などの情報である。さらにメータ仕様情報は、特定機能の有無などの情報である。動作ログ情報は、遮断・復帰の履歴情報などがある。
【図面の簡単な説明】
【００９１】
【図１】本発明の一実施形態に係るガスメータの機能を説明するためのブロック図である。
【図２】ガスメータに表示した２次元コードを読み取ってメッセージを表示させるときに使用する装置構成を概略的に示す図である。
【図３】ＱＲコードの例を模式的に示す図である。
【図４】本発明の他の実施形態に係るガスメータの機能を説明するためのブロック図である。
【図５】本発明の更に他の実施形態に係るガスメータの機能を説明するためのブロック図である。
【図６】本発明の更に他の実施形態に係るガスメータの機能を説明するためのブロック図である。
【図７】本発明の更に他の実施形態に係るガスメータの機能を説明するためのブロック図である。
【図８】本発明の一実施形態に係る周辺装置の機能を説明するためのブロック図である。
【図９】周辺装置に表示した２次元コードを読み取ってメッセージを表示させるときに使用する装置構成を概略的に示す図である。
【図１０】本発明の他の実施形態に係る周辺装置の機能を説明するためのブロック図である。
【図１１】本発明の更に他の実施形態に係る周辺装置の機能を説明するためのブロック図である。
【図１２】本発明の更に他の実施形態に係る周辺装置の機能を説明するためのブロック図である。
【図１３】本発明の更に他の実施形態に係る周辺装置の機能を説明するためのブロック図である。
【図１４】本発明の更に他の実施形態に係る周辺装置の機能を説明するためのブロック図である。
【図１５】本発明の更に他の実施形態に係る周辺装置の機能を説明するためのブロック図である。
【図１６】本発明の更に他の実施形態に係る周辺装置の機能を説明するためのブロック図である。
【図１７】本発明の更に他の実施形態に係るガスメータの機能を説明するためのブロック図である。
【図１８】従来技術のガスメータにおけるガス供給遮断時の表示部での表示を示す図である。
【符号の説明】
【００９２】
１０…ガスメータ、１１…内部状態判定手段、１２…メッセージ作成手段、１３…２次元コード作成手段、１４…表示手段、１５…記憶手段、１６…検索手段、１７…次元コード、１８…通信手段、１９…通信手段、２１…撮像手段、２２…表示手段、３０…周辺装置、３１…内部状態判定手段、３２…メッセージ作成手段、３３…通信手段、３４…記憶手段、３５…検索手段、３６…２次元コード作成手段、３７…表示手段、４０…ホスト装置、４１…内部状態判定手段、４２…メッセージ作成手段、４３…通信手段、４４…記憶手段、４５…検索手段、５０…ネットワーク、６０…周辺装置、６１…内部状態判定手段、６２…メッセージ作成手段、６３…通信手段、６４…記憶手段、６５…検索手段、１００…表示部、１０１…ＡＢＣ表示領域。
【図１】
2009109391.tif 000003
【図２】
2009109391.tif 000004
【図３】
2009109391.tif 000005
【図４】
2009109391.tif 000006
【図５】
2009109391.tif 000007
【図６】
2009109391.tif 000008
【図７】
2009109391.tif 000009
【図８】
2009109391.tif 000010
【図９】
2009109391.tif 000011
【図１０】
2009109391.tif 000012
【図１１】
2009109391.tif 000013
【図１２】
2009109391.tif 000014
【図１３】
2009109391.tif 000015
【図１４】
2009109391.tif 000016
【図１５】
2009109391.tif 000017
【図１６】
2009109391.tif 000018
【図１７】
2009109391.tif 000019
【図１８】
2009109391.tif 000020